(57)【要約】【目的】  記録媒体を情報記録再生装置に挿入又は再生することなく、またその都度対向させて内容を確認することなく、利用者が所望の記録内容が記録された記録媒体を特定して確認できるようにする。【構成】  制御部は、光ディスクが挿入されると、光ディスクから媒体ＩＤ番号を読み取る（Ｓ２１）。ユーザの操作によって情報の表示が選択されると（Ｓ２２）、光ディスクから読み取った媒体ＩＤ番号をキーとしてＨＤＤのインデックス記憶部を照会し（２３）、媒体ＩＤ番号に対応（一致）するタイトルの名称，当該タイトルの録画時のチャンネル，録画日，録画開始時刻，録画時間，録画終了時刻，録画モード等のデータと、ディスク残量データを読み出して画面に表示し（Ｓ２４）、ユーザの操作によって情報の表示の終了が選択されると（Ｓ２５）、この処理を終了する。【選択図】        図１０
2005116077.tif 000002
【特許請求の範囲】
【請求項１】
表面に識別用情報を記録し、前記識別用情報を非接触で読み取り可能に記憶する識別用情報記憶手段を設けたことを特徴とする記録媒体。
【請求項２】
前記識別用情報記憶手段は前記識別用情報を非接触で認識可能に記憶する読み取り専用の手段であることを特徴とする請求項２記載の記録媒体。
【請求項３】
請求項１又は２記載の記録媒体にデータを記録する手段を備えたことを特徴とする情報記録装置。
【請求項４】
請求項１又は２記載の記録媒体にデータを記録することを特徴とする情報記録方法。
【請求項５】
請求項１又は２記載の記録媒体の前記識別用情報記憶手段に記憶された識別用情報を非接触で読み取る識別用情報読取手段と、該識別用情報読取手段によって読み取った識別用情報と前記記録媒体に記録された情報とを対応させたインデックス情報を記憶するインデックス情報記憶手段と、該インデックス情報記憶手段に記憶されたインデックス情報を表示するインデックス情報表示手段とを備えたことを特徴とする情報再生装置。
【請求項６】
請求項１又は２記載の記録媒体の前記識別用情報記憶手段に記憶された識別用情報を非接触で読み取る識別用情報読取工程と、該識別用情報読取工程によって読み取った識別用情報と前記記録媒体に記録された情報とを対応させたインデックス情報を記憶するインデックス情報記憶工程と、該インデックス情報記憶工程に記憶されたインデックス情報を表示するインデックス情報表示工程とからなることを特徴とする情報再生方法。
【請求項７】
請求項１又は２記載の記録媒体の前記識別用情報記憶手段に記憶された識別用情報を非接触で読み取る識別用情報読取手段と、無線通信によって外部の情報再生装置のインデックス情報記憶手段に記憶されたインデックス情報の中から前記識別用情報読取手段によって読み取った識別用情報に対応するインデックス情報を取得するインデックス情報取得手段と、該インデックス情報取得手段によって取得したインデックス情報を表示するインデックス情報表示手段とを備えたことを特徴とする端末装置。
【請求項８】
前記インデックス情報取得手段は、前記情報再生装置とＩＥＥＥ８０２．１１ｂ方式による無線通信によって前記インデックス情報記憶手段に記憶されたインデックス情報を取得する手段である請求項７記載の端末装置。
【請求項９】
前記インデックス情報取得手段は、前記情報再生装置とＩＥＥＥ８０２．１１ａ方式による無線通信によって前記インデックス情報記憶手段に記憶されたインデックス情報を取得する手段である請求項７記載の端末装置。
【請求項１０】
前記インデックス情報取得手段は、前記情報再生装置とＩＥＥＥ８０２．１１ｇ方式による無線通信によって前記インデックス情報記憶手段に記憶されたインデックス情報を取得する手段である請求項７記載の端末装置。
【請求項１１】
前記インデックス情報取得手段は、前記情報再生装置とブルートゥースによる無線通信によって前記インデックス情報記憶手段に記憶されたインデックス情報を取得する手段である請求項７記載の端末装置。
【発明の詳細な説明】
【技術分野】
【０００１】
この発明は、ＣＤ−Ｒディスク，ＣＤ−ＲＷディスク，ＤＶＤ−Ｒディスク，ＤＶＤ−ＲＷディスク，ＤＶＤ＋Ｒディスク，ＤＶＤ＋ＲＷディスク，ＤＶＤ−ＲＡＭディスク等の記録媒体と情報記録装置と情報記録方法と情報再生装置と情報再生方法と端末装置とに関する。
【背景技術】
【０００２】
従来、ＣＤ−Ｒディスク，ＣＤ−ＲＷディスク，ＤＶＤ−Ｒディスク，ＤＶＤ−ＲＷディスク，ＤＶＤ＋Ｒディスク，ＤＶＤ＋ＲＷディスク，ＤＶＤ−ＲＡＭディスク等の記録媒体にＲＦＩＤとＩＣチップを設けて非接触でＩＣチップにインデックス情報の書き込みと読み出しを行うＣＤ−Ｒドライブ装置，ＣＤ−ＲＷドライブ装置，ＤＶＤ−Ｒドライブ装置，ＤＶＤ−ＲＷドライブ装置，ＤＶＤ＋Ｒドライブ装置，ＤＶＤ＋ＲＷドライブ装置，ＤＶＤ−ＲＡＭドライブ装置などの情報記録再生装置（「インデックス装置」とも呼ばれる）（例えば、特許文献１参照）があった。
【０００３】
このような情報記録再生装置では、所定のテレビ放送局から送信される番組情報をインデックス情報として記録が終了する際に記録媒体内部に設けられたＩＣチップ内に書き込むようにしている。
また、一般にインデックス情報及び識別用情報（識別用番号）を記録媒体にデータとして記録し、データとして記録したものと同一の情報を装置内のＨＤＤ上でデータベース化する方法が行われている。
【特許文献１】特開２００１−２９７５６８号
【発明の開示】
【発明が解決しようとする課題】
【０００４】
しかしながら、従来の情報記録再生装置では、所望の記録内容を記録した記録媒体を探し出すためには記録媒体を情報記録再生装置に対向させて表示部に表示される内容を確認するため、情報記録再生装置に挿入，再生して確認する手順を省略することはできるが記録媒体が多数存在する場合は都度対向させての確認が必要があり比較的煩わしい操作を必要とするという不具合があった。
【０００５】
一方、インデックス情報及び識別用番号を記録媒体に記録されるデータとして記録し、同じ情報を情報記録再生装置内のＨＤＤ上でデータベース化する方法においては、識別用番号を利用者が確認できるようにするために記録媒体表面に識別用番号を目視できるように書き込む等の手段を講じるが必要であり煩わしいという問題があった。
この発明は上記の点に鑑みてなされたものであり、記録媒体を情報記録再生装置に挿入又は再生することなく、またその都度対向させて内容を確認することなく、利用者が所望の記録内容が記録された記録媒体を特定して確認できるようにすることを目的とする。
【課題を解決するための手段】
【０００６】
この発明は上記の目的を達成するため、次の（１）〜（２）の記録媒体を提供する。
（１）表面に識別用情報を記録し、上記識別用情報を非接触で読み取り可能に記憶する識別用情報記憶手段を設けた記録媒体。
（２）上記（１）の記録媒体において、上記識別用情報記憶手段は上記識別用情報を非接触で認識可能に記憶する読み取り専用の手段である記録媒体。
また、次の（３）の情報記録装置と（４）の情報記録方法も提供する。
（３）上記（１）又は（２）の記録媒体にデータを記録する手段を備えた情報記録装置。
（４）上記（１）又は（２）の記録媒体にデータを記録する情報記録方法。
【０００７】
さらに、次の（５）の情報再生装置と（６）の情報再生方法も提供する。
（５）上記（１）又は（２）の記録媒体の上記識別用情報記憶手段に記憶された識別用情報を非接触で読み取る識別用情報読取手段と、その識別用情報読取手段によって読み取った識別用情報と上記記録媒体に記録された情報とを対応させたインデックス情報を記憶するインデックス情報記憶手段と、そのインデックス情報記憶手段に記憶されたインデックス情報を表示するインデックス情報表示手段を備えた情報再生装置。
（６）上記（１）又は（２）の記録媒体の上記識別用情報記憶手段に記憶された識別用情報を非接触で読み取る識別用情報読取工程と、その識別用情報読取工程によって読み取った識別用情報と上記記録媒体に記録された情報とを対応させたインデックス情報を記憶するインデックス情報記憶工程と、そのインデックス情報記憶工程に記憶されたインデックス情報を表示するインデックス情報表示工程とからなる情報再生方法。
【０００８】
さらにまた、次の（７）〜（１１）の端末装置も提供する。
（７）上記（１）又は（２）の記録媒体の上記識別用情報記憶手段に記憶された識別用情報を非接触で読み取る識別用情報読取手段と、無線通信によって外部の情報再生装置のインデックス情報記憶手段に記憶されたインデックス情報の中から上記識別用情報読取手段によって読み取った識別用情報に対応するインデックス情報を取得するインデックス情報取得手段と、そのインデックス情報取得手段によって取得したインデックス情報を表示するインデックス情報表示手段を備えた端末装置。
（８）上記（７）の端末装置において、上記インデックス情報取得手段は、上記情報再生装置とＩＥＥＥ８０２．１１ｂ方式による無線通信によって上記インデックス情報記憶手段に記憶されたインデックス情報を取得する手段である端末装置。
【０００９】
（９）上記（７）の端末装置において、上記インデックス情報取得手段は、上記情報再生装置とＩＥＥＥ８０２．１１ａ方式による無線通信によって上記インデックス情報記憶手段に記憶されたインデックス情報を取得する手段である端末装置。
（１０）上記（７）の端末装置において、上記インデックス情報取得手段は、上記情報再生装置とＩＥＥＥ８０２．１１ｇ方式による無線通信によって上記インデックス情報記憶手段に記憶されたインデックス情報を取得する手段である端末装置。
（１１）上記（７）の端末装置において、上記インデックス情報取得手段は、上記情報再生装置とブルートゥースによる無線通信によって上記インデックス情報記憶手段に記憶されたインデックス情報を取得する手段である端末装置。
【発明の効果】
【００１０】
この発明による記録媒体と情報記録装置と情報記録方法と情報再生装置と情報再生方法と端末装置は、記録媒体を情報記録再生装置に挿入又は再生することなく、またその都度対向させて内容を確認することなく、利用者が所望の記録内容が記録された記録媒体を特定して確認することができる。
【発明を実施するための最良の形態】
【００１１】
以下、この発明を実施するための最良の形態を図面に基づいて具体的に説明する。
図１は、この発明の記録媒体の一実施形態である記録型ＤＶＤ等をはじめとする光ディスクの外観を示す図である。
この光ディスク１の表面上には、ディスク中心部付近にこの光ディスクの固有の識別用情報である媒体ＩＤ番号（識別用番号）２が印刷されており、同じくディスク中心部付近に上記媒体ＩＤ番号と同一の番号が識別用番号として書き込まれたＲＦＩＤチップ３が埋め込まれている。このＲＦＩＤチップ３は、内部に記憶された媒体ＩＤ番号を外部から非接触で読み取り可能に記憶するＲＦＩＤチップのメモリである。
【００１２】
図２は、この発明の情報記録装置及び情報再生装置の一実施形態である光ディスクドライブを備えたレコーダシステムの構成を示すブロック図である。
このレコーダシステムにおいて、レコーダ１０の光ディスクドライブ１１は光ディスク１に埋め込まれているＲＦＩＤチップに記録されている媒体ＩＤ番号を非接触で読み取る媒体ＩＤ読取部１２を内蔵してるインデックス装置である。
ハードディスクドライブ（ＨＤＤ）１３は、各種の情報を記憶する記憶媒体であり、媒体ＩＤ読取部１２によって読み取った媒体ＩＤと光ディスク１に記録された情報（映像，音声等のデータ）とを対応させたインデックス情報を記憶するインデックス記憶部１４を有する。
【００１３】
操作部１５は、各種の指示や情報を入力するためのキーボード，マウス等の入力装置である。テレビ（ＴＶ）１６は、映像やインデックス情報等のデータを表示するディスプレイである。
有線・無線ネットワークインタフェース１７は、イーサーネット等による有線接続、または無線接続によってインターネットからの番組情報を取り込む機能の他、無線接続機能はＲＦＩＤチップ内のメモリーに記録されている媒体ＩＤ番号を読み取るための装置を内蔵した端末装置と無線通信を行う。その無線通信には、ＩＥＥＥ８０２．１１ｂ方式，ＩＥＥＥ８０２．１１ａ方式，ＩＥＥＥ８０２．１１ｇ方式，ブルートゥース（Ｂｌｕｅ  ｔｏｏｔｈ）方式などの方式を使用する。
テレビチューナ１８は、テレビアンテナ１９を介してテレビ番組の映像，音声を受信する。
【００１４】
制御部２０は、ＣＰＵ，ＲＯＭ及びＲＡＭ等からなるマイクロコンピュータを内蔵し、ＲＯＭに記憶された制御プログラムを実行することにより、テレビチューナ１８で受信した映像，音声信号又はインターネットから外部入力された映像・音声信号をＭＰＥＧ２等の圧縮方法を用いて光ディスク１又はＨＤＤ１３に記録し、放送電波自体から得られる番組情報の取り込みを行い、その記録した映像，音声信号を再生する処理を行う。また、この発明に係る情報再生方法を実行し、この発明に係る識別用情報読取処理とインデックス情報記憶処理とインディスク情報表示処理も行う。
すなわち、この制御部２０と媒体ＩＤ読取部１２が上記識別用情報読取手段の機能を果たす。また、この制御部２０とインデックス記憶部１４が上記インデックス情報記憶手段の機能を果たす。さらに、この制御部２０とＴＶ１６が上記インデックス情報表示手段の機能を果たす。
【００１５】
図３は、この発明の一実施形態である端末装置の構成を示すブロック図である。
この端末装置は、リモートコントローラを兼ねており、上記レコーダシステムから離れた位置から録画，再生，予約等の操作を行うことができる。
端末装置は、光ディスク１のＲＦＩＤチップ３内のメモリーに記録されている媒体ＩＤ番号を非接触で読み取る読取部３１を内蔵している。
操作部３２は、光ディスク１の媒体ＩＤ番号の読み取り指示等を入力するキーボード等の入力装置である。表示部３３は、光ディスク１のインデックス情報を表示するＬＣＤ等の表示装置である。
通信部３４は、無線通信によって上記外部のレコーダシステムと通信し、レコーダシステムのインデックス記憶部１４に記憶されたインデックス情報の中から読取部３１によって読み取った媒体ＩＤ番号に対応するインデックス情報を取得する。その無線通信には、ＩＥＥＥ８０２．１１ｂ方式，ＩＥＥＥ８０２．１１ａ方式，ＩＥＥＥ８０２．１１ｇ方式，ブルートゥース（Ｂｌｕｅ  ｔｏｏｔｈ）方式などの方式を使用する。
【００１６】
制御部３５は、ＣＰＵ，ＲＯＭ及びＲＡＭ等からなるマイクロコンピュータを内蔵し、ＲＯＭに記憶された制御プログラムを実行することにより、この発明に係る識別用情報読取処理とインデックス情報取得処理とインディスク情報表示処理を行う。
すなわち、この制御部３５と読取部３１が上記識別用情報読取手段の機能を果たす。また、この制御部２０と通信部３４が上記インデックス情報取得手段の機能を果たす。さらに、この制御部２０と表示部３３が上記インデックス情報表示手段の機能を果たす。
【００１７】
この端末装置では、ユーザが光ディスク１にこの端末装置を近づけ、所定のボタンを押下する等の操作により媒体ＩＤ番号の読み取りを指示すると、制御部２０の制御により、読取部３１で媒体ＩＤ番号を読み取った後、通信部３４による無線接続でレコーダシステムとの通信を行い、光ディスクのインデックス情報のデータベースであるインデックス記憶部１４を照会し、該当する媒体ＩＤ番号のインデックス情報である光ディスクの残容量，録画済みタイトル名称，録画時のチャンネル，録画日，録画開始時刻，録画時間，録画モード等の情報を取得して表示部３３に表示する。
【００１８】
また、ユーザが別の所定のボタンを押下する等の操作により、通信部３４による無線接続でレコーダシステムとの通信を行い、光ディスクのインデックス情報のデータベースであるインデックス記憶部１４を照会し、そのデータベースに記録されている録画済みタイトル名称，録画時のチャンネル，録画日，録画開始時刻，録画時間，録画モード，録画先の情報を取得して表示部３３に表示する。
さらに、録画先が光ディスク１の場合については媒体ＩＤ番号を表示する。
【００１９】
図４は、図２に示したインデックス記憶部１４に記憶する光ディスク毎のインデックス情報のフォーマット例を示す図である。
複数の光ディスクの媒体ＩＤ番号及びＨＤＤ１３に対して最後に録画を行った後の録画可能な残量をこの例ではメガバイト（Ｍｂｙｔｅ）単位で記録する。
図５は、図２に示したインデックス記憶部１４に記憶するタイトル毎のインデックス情報のフォーマット例を示す図である。
各タイトルに対してタイトル名称，録画した際のチャンネル，録画開始時刻，録画終了時刻，録画モード，録画先が記録される。録画先が光ディスクの場合については媒体ＩＤ番号を記録する。
【００２０】
図６は、図２に示した光ディスクドライブ１１に光ディスク１を挿入してディスク情報の表示を選択した際に表示される画面の例を示す図ある。
制御部２０は、画面には光ディスク１の媒体ＩＤ番号，残容量，録画済みタイトル名称，録画時のチャンネル，録画日，録画開始時刻，タイトルの録画時間，録画モード等を表示する。
また、図３に示した端末装置を用いて光ディスク１の内容の確認を行った際も、その制御部３５によって表示部３３にほぼ同様の情報を表示する。
【００２１】
図７は、図２に示したレコーダシステムにおいてタイトル情報の表示を選択した場合に表示される画面の例を示す図である。
制御部２０は、画面には、録画済みタイトルの名称，録画時のチャンネル，録画日，録画開始時刻，録画時間，録画モード，録画先を表示する。また、録画先が光ディスクの場合には媒体ＩＤ番号を表示する。
さらに、図３に示した端末装置を用いて光ディスク１のタイトル情報の表示を行った際も、その制御部３５によって表示部３３にほぼ同様の情報を表示する。
【００２２】
図８は、図２に示した制御部２０によるインデックス情報を記録する処理工程を示すフローチャート図である。
まず、光ディスク１は予め光ディスクドライブ１１に挿入されているものとする。
制御部２０は、録画予約開始時刻直前、あるいは手動で録画が開始された時、ステップ（図中「Ｓ」で示す）１で光ディスクのＲＦＩＤチップから媒体ＩＤ番号を読み取り、ステップ２で放送チャンネルの番組情報をインターネットあるいは放送電波そのものから受信し、ステップ３で媒体ＩＤ番号と上記番組情報をタイトルの名称として関連付けてインデックス情報としてインデックス記憶部に記憶する。さらに、録画時のチャンネル，録画日，録画開始時刻，録画時間を算出するための録画終了時刻，録画モードとを関連付けてインデックス情報としてインデックス記憶部に記憶する。
さらに、ステップ４で番組を録画し、ステップ５で録画終了後のディスク残量を計算し、インデックス記憶部上の当該媒体ＩＤ番号のディスク残量データを更新し、録画処理を終了する。
【００２３】
図９は、このレコーダシステムと端末装置におけるインデックス情報を検索する処理工程を示すフローチャート図である。
レコーダ１０または端末装置のいずれかにおいて利用者が録画済みタイトルの表示を選択すると、レコーダ１０の場合、制御部２０が、ステップ（図中「Ｓ」で示す）１１で直接インデックス記憶部１４を照会してタイトル名称と当該タイトルの録画時のチャンネル，録画日，録画開始時刻，録画時間，録画モード，録画先（録画先が光ディスクの場合には媒体ＩＤ番号）を読み出して表示し、ステップ１２でユーザ（利用者）によって表示の終了が選択されると、この処理を終了する。
【００２４】
また、端末装置の場合には、制御部３５がレコーダ１０と通信し、ステップ１１でインデックス記憶部１４を照会してタイトル名称と当該タイトルの録画時のチャンネル，録画日，録画開始時刻，録画時間，録画モード，録画先（録画先が光ディスクの場合には媒体ＩＤ番号）を読み出して表示し、ステップ１２でユーザ（利用者）によって表示の終了が選択されると、この処理を終了する。
そして、利用者は、表示された録画先が光ディスクの場合には媒体ＩＤ番号を確認し、その媒体ＩＤ番号を持つ光ディスクに印刷されている識別用番号を目視で照合する。
【００２５】
図１０は、ユーザがこのレコーダシステムでインデックス情報を確認するときのレコーダシステムの処理工程を示すフローチャート図である。
制御部２０は、光ディスクが挿入されると、ステップ（図中「Ｓ」で示す）２１で光ディスクから媒体ＩＤ番号を読み取る。
ステップ２２でユーザ（利用者）の操作によって情報の表示が選択されると、ステップ２３で光ディスクから読み取った媒体ＩＤ番号をキーとしてＨＤＤのインデックス記憶部（データベース）を照会し、ステップ２４で媒体ＩＤ番号に対応（一致）するタイトルの名称，当該タイトルの録画時のチャンネル，録画日，録画開始時刻，録画時間，録画終了時刻，録画モード等のデータと、ディスク残量データを読み出して画面に表示し、ステップ２５でユーザの操作によって情報の表示の終了が選択されると、この処理を終了する。
【００２６】
図１１は、ユーザがこの端末装置でインデックス情報を確認するときの端末装置の処理工程を示すフローチャート図である。
ユーザが光ディスクに端末装置を近づけて、制御部３５は、ステップ（図中「Ｓ」で示す）３１でユーザ（利用者）の操作によって情報の表示が選択されると、ステップ３２で光ディスクから媒体ＩＤ番号を読み取る。ステップ３３で光ディスクから読み取った媒体ＩＤ番号をキーとしてレコーダと通信することによりＨＤＤのインデックス記憶部を照会し、ステップ３４で媒体ＩＤ番号に対応（一致）するタイトル名称及び当該タイトルの録画時のチャンネル，録画日，録画開始時刻，録画時間，録画終了時刻，録画モード等のデータと、ディスク残量データを読み出して表示部に表示し、ステップ３５でユーザの操作によって情報の表示の終了が選択されると、この処理を終了する。
【００２７】
このようにして、非接触で識別用番号を読み取り可能な手段を具えた記録媒体の識別用番号を記録媒体に情報が記録される際に生成する当該情報のインデックス情報に含めて蓄積しておくことにより、インデックス情報を参照することで目的の記録媒体の識別用番号を容易に識別し、記録媒体表面に印刷された識別用番号と目視で照合することで目的の情報が記録された記録媒体であることを確認することが可能になる。
また、記録媒体に近づけた後インデックス装置と通信し、インデックス情報を参照することにより記録媒体をインデックス装置を具えた記録再生装置に挿入し再生あるいは対向させることなくインデックス装置から離れた場所に於いても記録媒体に記録された情報のインデックス情報を確認することが可能となる。
【００２８】
このように、インデックス装置側にデータベースを設けることにより、インデックス装置側に於いても読み取り機能のみで非接触での書き込み機能を不要化すると共に、記録媒体側が具える非接触での識別用番号を認識する手段も読み取り専用かつ識別用番号分のメモリー容量で済むようにし記録媒体の構造を簡略化すると共にあらかじめ識別用番号を定め印刷しておくことにより利用者が目視できる様書き込む手順を省くことができる。
【産業上の利用可能性】
【００２９】
この発明による記録媒体は、ＭＯ，メモリカード等の記録媒体にも適用することができる。また、この発明による情報記録装置と情報記録方法と情報再生装置と情報再生方法と端末装置は、デスクトップパソコン，ノートブックパソコン等のパーソナルコンピュータにおいても適用することができる。
【図面の簡単な説明】
【００３０】
【図１】この発明の記録媒体の一実施形態である記録型ＤＶＤ等をはじめとする光ディスクの外観を示す図である。
【図２】この発明の情報記録装置及び情報再生装置の一実施形態である光ディスクドライブを備えたレコーダシステムの構成を示すブロック図である。
【図３】この発明の一実施形態である端末装置の構成を示すブロック図である。
【図４】図２に示すインデックス記憶部１４に記憶する光ディスク毎のインデックス情報のフォーマット例を示す図である。
【００３１】
【図５】図２に示すインデックス記憶部１４に記憶するタイトル毎のインデックス情報のフォーマット例を示す図である。
【図６】図２に示す光ディスクドライブ１１に光ディスク１を挿入してディスク情報の表示を選択した際に表示される画面の例を示す図ある。
【図７】図２に示すレコーダシステムにおいてタイトル情報の表示を選択した場合に表示される画面の例を示す図である。
【００３２】
【図８】図２に示す制御部２０によるインデックス情報を記録する処理工程を示すフローチャート図である。
【図９】この実施形態のレコーダシステムと端末装置におけるインデックス情報を検索する処理工程を示すフローチャート図である。
【図１０】図２に示すレコーダシステムでユーザがインデックス情報を確認するときのレコーダシステムの処理工程を示すフローチャート図である。
【図１１】図３に示す端末装置でユーザがインデックス情報を確認するときの端末装置の処理工程を示すフローチャート図である。
【符号の説明】
【００３３】
１：光ディスク    ２：媒体ＩＤ番号    ３：ＲＦＩＤチップ    １０：レコーダ    １１：光ディスクドライブ    １２：媒体ＩＤ読取部    １３：ＨＤＤ    １４：インデックス記憶部    １５：操作部    １６：ＴＶ    １７：有線・無線ネットワークインタフェース    １８：テレビチューナ    １９：テレビアンテナ    ２０，３５：制御部    ３１：読取部    ３２：操作部    ３３：表示部    ３４：通信部
【図１】
2005116077.tif 000003
【図２】
2005116077.tif 000004
【図３】
2005116077.tif 000005
【図４】
2005116077.tif 000006
【図５】
2005116077.tif 000007
【図６】
2005116077.tif 000008
【図７】
2005116077.tif 000009
【図８】
2005116077.tif 000010
【図９】
2005116077.tif 000011
【図１０】
2005116077.tif 000012
【図１１】
2005116077.tif 000013